【手続補正書】
【提出日】平成22年2月18日(2010.2.18)
【手続補正１】
【補正対象書類名】特許請求の範囲
【補正対象項目名】全文
【補正方法】変更
【補正の内容】
【特許請求の範囲】
【請求項１】
吹き込みステーションを含むＩ．Ｓ．マシーンであり、
真空入口ポートを備えた吹き込み成形型底部プレートを含んでいる吹き込み成形機構と、
パリゾンに吹込み成形を施してボトルにするために、前記吹き込み成形機構内に配置されているパリゾンに最終的な吹き込みを適用するように作動可能な吹込み頭部機構と、
最終的な吹き込み成形をオンにする手段と、
真空源と、
当該真空源を前記真空入口ポートに接続するための流路を規定している真空制御機構であって、
前記流路内に設けられ、閉塞位置から開放位置まで作動可能なオン−オフ弁と、
前記流路内に設けられ、開放位置から部分的に閉じられた位置まで部分的に閉塞可能な制御弁と、を含んでいる前記真空制御機構と、
前記真空制御機構のための制御装置であって、
Ａ．１．前記オン−オフ弁が前記開放位置にあるとき、及び、２．前記吹込み頭部機構がパリゾンに最終的な吹き込みを適用するように作動せしめられていないときに、前記部分的に閉塞可能な制御弁を、前記部分的に閉じられた位置に配置するための、及び
Ｂ．１．前記オン−オフ弁が前記開放位置にあるときに、及び、２．前記吹込み頭部機構がパリゾンに最終的な吹き込みを適用するように作動せしめられているときに、前記部分的に閉塞可能な制御弁を前記開放位置に配置するための、前記制御装置と、
を含んでいるＩ．Ｓ．マシーン。
【請求項２】
請求項１に記載のＩ．Ｓ．マシーンであり、前記オン−オフ弁がポペット弁であるＩ．Ｓ．マシーン。
【請求項３】
請求項１に記載のＩ．Ｓ．マシーンであり、前記部分的に閉塞可能な制御弁がニードル弁であるＩ．Ｓ．マシーン。
【手続補正２】
【補正対象書類名】明細書
【補正対象項目名】０００４
【補正方法】変更
【補正の内容】
【０００４】
上記目的を達成するために、本発明においては、吹き込みステーションを含むＩ．Ｓ．マシーンの構成を、
真空入口ポートを備えた吹き込み成形型底部プレートを含んでいる吹き込み成形機構と、
パリゾンに吹込み成形を施してボトルにするために、前記吹き込み成形機構内に配置されているパリゾンに最終的な吹き込みを適用するように作動可能な吹込み頭部機構と、
最終的な吹き込み成形をオンにする手段と、
真空源と、
当該真空源を前記真空入口ポートに接続するための流路を規定している真空制御機構であって、
前記流路内に設けられ、閉塞位置から開放位置まで作動可能なオン−オフ弁と、
前記流路内に設けられ、開放位置から部分的に閉じられた位置まで部分的に閉塞可能な制御弁と、を含んでいる前記真空制御機構と、
前記真空制御機構のための制御装置であって、
前記流路内に設けられ、開放位置から部分的に閉じられた位置まで部分的に閉塞可能な制御弁と、を含んでいる前記真空制御機構と、
前記真空制御機構のための制御装置であって、
Ａ．１．前記オン−オフ弁が前記開放位置にあるとき、及び、２．前記吹込み頭部機構がパリゾンに最終的な吹き込みを適用するように作動せしめられていないときに、前記部分的に閉塞可能な制御弁を、前記部分的に閉じられた位置に配置するための、及び
Ｂ．１．前記オン−オフ弁が前記開放位置にあるときに、及び、２．前記吹込み頭部機構がパリゾンに最終的な吹き込みを適用するように作動せしめられているときに、前記部分的に閉塞可能な制御弁を前記開放位置に配置するための、前記制御装置と、を含むようにしている。
【手続補正３】
【補正対象書類名】明細書
【補正対象項目名】０００５
【補正方法】変更
【補正の内容】
【０００５】
Ｉ．Ｓ．マシーンの吹き込みステーションは、当該ステーションへ供給される各パリゾン１２のための吹き込み成形型１０を含んでいる。当該吹き込み成形型は、一対の対向した側部１４と底部１６とによって形成されている。（前のブランクステーションにおいて十分に形成された）パリゾン１２の口部分１７は閉塞された型の側部の頂部開口部内に支持されており、頂部開口部は、吹き込み弁ＢＶ／２０を介して圧力下で空気を供給されている吹込み頭部１８によって閉じられている。成形型の内側に形成された面２２は、パリゾンが“吹き込まれた”ときに形成されるボトルの形状を規定している。この面の周囲には、基部の真空入口２５と連通している多数の真空穴２４が配置されている。入口は、適切な真空源３０と連通している真空弁（ＶＶ／２８）にパイプ２６を介して連通している。第一及び第二の真空制御弁（ＶＣＶ１／２９、ＶＣＶ２／３２）が真空弁（ＶＶ／２８）と作動可能に関連付けられている。
【手続補正４】
【補正対象書類名】明細書
【補正対象項目名】０００７
【補正方法】変更
【補正の内容】
【０００７】
部分的に閉塞可能な制御弁５０が、傾斜面を有する環状弁座５２を弁本体通路５４内に配置することによって、オン−オフ弁４４と真空弁出口４２との間に形成されている。制御弁５０は、完全に開いた上方位置と部分的に閉塞可能な制御弁５０を所望の程度まで部分的に閉じる下方位置との間を移動可能な適合したニードル弁又はオペレータ５６を有している。ニードル弁のカラー６６は、部分的に閉塞可能な制御弁５０の中立位置が上方位置にあるように圧縮ばね６８を捕捉している。第二の真空制御弁（ＶＣＶ２／３２）を作動させることによって、適当な発生源からの圧力空気がカラー６６の頂部に適用されてニードル弁をその下方位置へと動かす。図２に図示されているように、ニードル弁軸６０の頂部にはねじ６２が切られており、関連するナット６４を調整することによって所望の下方位置が設定されるであろう。
【手続補正５】
【補正対象書類名】明細書
【補正対象項目名】０００８
【補正方法】変更
【補正の内容】
【０００８】
真空弁２８の制御装置７０は図３に示されている。制御が、“真空が適用されつつあるか？”という問いかけ７２に対して“いいえ”と答えたとき、第二の真空制御弁（ＶＣＶ２／３２）はオフとなるであろう（真空制御空気の除去７８）。答えが“はい”であるときには、オン−オフ弁（４４）は、常閉のポペット弁（４６）を開放位置へと動かすように作動せしめられ、次いで、制御装置７０は、“最終的な吹き込みがオンされているか？”という問いかけ７４に対する答えを判定するであろう。この答えが“いいえ”である場合には、制御は、第二の真空制御弁３２（真空制御空気の適用７６）に進み、ニードル弁をその下方位置へ下げて吹き込み成形型に適用される真空レベルを所望のレベルまで減じるであろう。最終的な吹き込みが始まる（“最終吹き込みがオンされているか？”という問いかけ７４の答えが肯定的となるであろう）と、真空制御空気は、上方位置へ戻るニードル弁によって除去されるであろう（真空制御空気の除去７８）。次いで、完全な真空が適用されるであろう。
【手続補正６】
【補正対象書類名】明細書
【補正対象項目名】０００９
【補正方法】変更
【補正の内容】
【０００９】
【図１】図１は、成形型の下方の吹き込みステーション内に支持されているパリゾンに吹き込み成形を施してボトルにする前のＩ．Ｓ．マシーンの吹き込みステーションの図である。
【図２】図２は、図１に示された真空弁の断面図である。
【図３】図３は、制御装置の動作を示している論理図である。
【手続補正７】
【補正対象書類名】図面
【補正対象項目名】図１
【補正方法】変更
【補正の内容】
【図１】
2007246388.tif 000001
【手続補正８】
【補正対象書類名】図面
【補正対象項目名】図２
【補正方法】変更
【補正の内容】
【図２】
2007246388.tif 000002
【手続補正９】
【補正対象書類名】図面
【補正対象項目名】図３
【補正方法】変更
【補正の内容】
【図３】
2007246388.tif 000003